(57)【特許請求の範囲】
【請求項１】
与えられる画像信号によって表される画像を表示する液晶表示パネルが筐体内に収納されており，上記液晶表示パネルの表示画面は，上記筐体から外部に露出され，上記筐体には外光を採り入れる採光窓が開閉自在に形成され，上記採光窓が開かれたことにより採り入れられた外光を上記液晶表示パネルの裏面に導く導光路が形成されている液晶表示装置において，
上記液晶表示パネルの裏面にバックライトを照射するバックライト装置，
上記採光窓から外光を採り入れるか上記バックライト装置によりバックライトを照射するかを設定する設定手段，
上記設定手段による上記外光を採り入れることの設定に応じて，与えられた画像信号を屋外表示用に補正する信号補正手段，
上記設定手段による上記バックライトの照射の設定に応じて，上記バックライト装置をオンするバックライト制御手段，
上記与えられる画像信号によって表される画像を表示し，かつ液晶表示装置と着脱自在な外部表示装置を接続するための出力回路，および
上記設定手段による上記外光を採り入れることの設定に応じて，上記出力回路をオフする出力回路制御手段，
を備えた液晶表示装置。
【請求項２】
上記信号補正手段は，与えられた画像信号のガンマ補正，輝度補正，輪郭補正，色相補正および色飽和度補正の少なくとも１つの補正を行うものである，請求項１に記載の液晶表示装置。
【請求項３】
与えられる画像信号によって表される画像を表示する液晶表示パネルが筐体内に収納されており，上記液晶表示パネルの表示画面は，上記筐体から外部に露出され，上記筐体には外光を採り入れる採光窓が開閉自在に形成され，上記採光窓が開かれたことにより採り入れられた外光を上記液晶表示パネルの裏面に導く導光路が形成され，かつ上記液晶表示パネルの裏面にバックライトを照射するバックライト装置を備えた液晶表示装置において，
上記採光窓から外光を採り入れるか上記バックライト装置によりバックライトを照射するかを設定可能とし，
上記外光を採り入れることの設定に応じて，与えられた画像信号を屋外表示用に補正し，
上記バックライトの照射の設定に応じて，上記バックライト装置をオンし，
与えられる画像信号によって表される画像を表示し，かつ液晶表示装置と着脱自在な外部表示装置を接続するための出力回路を設け，
上記外光を採り入れることの設定に応じて，上記出力回路をオフする，  
液晶表示装置の制御方法。
【発明の詳細な説明】
【０００１】
【技術分野】
この発明は，外光を採り入れる採光窓が筐体に形成されている液晶表示装置およびその制御方法に関する。
【０００２】
【発明の背景】
ディジタル・スチル・カメラには，撮像した画像を表示する液晶表示装置の表示画面が背面に設けられている。表示画面に被写体像を表示しながら，撮影アングルを決めることができる。
【０００３】
液晶表示装置には，通常バックライト装置が設けられている。バックライト装置により液晶表示装置を構成する液晶表示パネルの裏面が照らされる。ディジタル・スチル・カメラの電源には，その携帯性を考慮して電池を使用することができる。この電池を電源としてバックライト装置が駆動させられる。
【０００４】
省電力化の要求から，外光を採り入れることができるようにディジタル・スチル・カメラに採光窓が形成されているものもある。屋外でディジタル・スチル・カメラを使用する場合には，採光窓を開けて採り入れられた外光を液晶表示パネルの裏面に導く。バックライト装置をオフにすることにより，省電力化を図ることができる。
【０００５】
しかしながら，採光窓から外光を採り入れ，採り入れた外光を液晶表示パネルの裏面に導いても，液晶表示装置に表示されている画像が見やすいとは言い切れない。
【０００６】
【発明の開示】
この発明は，液晶表示装置に表示されている画像を見やすくすることを目的とする。
【０００７】
この発明は，与えられる画像信号によって表される画像を表示する液晶表示パネルが筐体内に収納されており，上記液晶表示パネルの表示画面は，上記筐体から外部に露出され，上記筐体には外光を採り入れる採光窓が開閉自在に形成され，上記採光窓が開かれたことにより採り入れられた外光を上記液晶表示パネルの裏面に導く導光路が形成されている液晶表示装置において，上記液晶表示パネルの裏面にバックライトを照射するバックライト装置，上記採光窓から外光を採り入れるか上記バックライト装置によりバックライトを照射するかを設定する設定手段，上記設定手段による上記外光を採り入れることの設定に応じて，与えられた画像信号を屋外表示用に補正する信号補正手段，および上記設定手段による上記バックライトの照射の設定に応じて，上記バックライト装置をオンするバックライト制御手段を備えていることを特徴とする。
【０００８】
この発明は，上記装置の制御方法も提供している。すなわち，この方法は，与えられる画像信号によって表される画像を表示する液晶表示パネルが筐体内に収納されており，上記液晶表示パネルの表示画面は，上記筐体から外部に露出され，上記筐体には外光を採り入れる採光窓が開閉自在に形成され，上記採光窓が開かれたことにより採り入れられた外光を上記液晶表示パネルの裏面に導く導光路が形成され，かつ上記液晶表示パネルの裏面にバックライトを照射するバックライト装置を備えた液晶表示装置において，上記採光窓から外光を採り入れるか上記バックライト装置によりバックライトを照射するかを設定可能とし，上記外光を採り入れることの設定に応じて，与えられた画像信号を屋外表示用に補正し，上記バックライトの照射の設定に応じて，上記バックライト装置をオンするものである。
【０００９】
この発明によると，上記採光窓からの外光の採り入れが設定されると，上記採光窓が開けられ，外光が上記液晶表示パネルの裏面に導かれる。与えられた画像信号（アナログ映像信号，ディジタル画像データのいずれでもよい）が屋外表示用に補正される。補正された画像信号が上記液晶表示装置に与えられ，画像信号によって表される画像が表示される。
【００１０】
上記バックライトの照射が設定されると，上記採光窓は，閉じられる。上記バックライト装置により上記液晶表示パネルの裏面が照射される。屋内においては，上記バックライト装置により上記液晶表示パネルの裏面が照射されるので，見やすい画像が表示されることとなる。
【００１１】
上記採光窓から外光が採り入れられるときには，画像信号が屋外表示用に補正されるので，屋外において見やすい画像が表示されることとなる。たとえば，ガンマ補正，輝度補正，輪郭補正，色相補正，色飽和度補正などが行われる。屋外などにより上記採光窓からの外光の採り入れが設定されるときには，上記バックライト装置がオフとされるので，電力の消費を抑えることができる。
【００１２】
上記液晶表示装置に，与えられた画像信号によって表される画像を表示し，かつ液晶表示装置と着脱自在な外部表示装置を接続するための出力回路が設けられていることがある。このような場合には，上記設定手段による上記外光を採り入れることの設定に応じて，上記出力回路をオフすることが好ましい。
【００１３】
上記外光を採り入れる場合には，屋外であることが多い。屋外においては，上記外部表示装置を接続することが比較的少ない。したがって，上記外部表示装置を接続するための出力装置をオフすることにより，無駄な電力の消費を未然に防止することができるようになる。
【００１４】
【実施例の説明】
図１は，この発明の実施例を示すもので，ディジタル・スチル・カメラを背面から見た斜視図である。
【００１５】
ディジタル・スチル・カメラ１の筺体の背面には，そのほぼ中央部分に，液晶表示パネル７が形成されている。液晶表示パネル７に，撮影によって得られた被写体像，メモリ・カードに記録されている画像データによって表される画像が表示される。この液晶表示パネル７は，後述するようにバックライト装置から出射する光によって裏面が照射されることができる。
【００１６】
液晶表示パネル７の左上には，光学的ビューファインダ６が形成されている。液晶表示パネル７に表示されている被写体像を見ながら，カメラ・アングルを定めることもできるし，光学的ビューファインダ６から被写体を覗くことにより，カメラ・アングルを定めることもできる。液晶表示パネル７の右下には，撮影モード，再生モードなどの種々のモードを設定するためのモード設定ボタン５が形成されている。
【００１７】
液晶表示パネル７の右上には，液晶表示パネル７の採光スイッチ４が設けられている。採光スイッチ４がオフされることにより，バックライト装置がオンし，液晶表示パネル７の裏面に光が照射される。
【００１８】
ディジタル・スチル・カメラ１の上面には，背面側（この背面側の部分を符号10で示す）に，採光カバー８が設けられている。採光スイッチ４がオンされることにより，採光カバー８が開く。開いている採光カバー８を手で押すことにより，採光カバー８が閉じる。採光カバー８が開けられると，採光窓が露出する。採光窓が露出すると，後述するように採光窓から外光が採り入れられ，液晶表示パネル７の裏面に外光が導かれる。
【００１９】
ディジタル・スチル・カメラ１の上面の右側において，背面側には，電源スイッチ３が設けられている。また，ディジタル・スチル・カメラ１の上面の右側において，前面側には，シャッタ・レリーズ・ボタン２が設けられている。
【００２０】
ディジタル・スチル・カメラ１の左側面（図１において手前の面）には，開閉自在なカード・カバー９が形成されている。このカード・カバー９を開けると，メモリ・カード収納部が現れる。メモリ・カードがそのメモリ・カード収納部に着脱自在に収納される。
【００２１】
また，ディジタル・スチル・カメラ１の右側面（図１において奥側の面）には，外部のテレビジョン装置と接続するための出力端子が形成されている。
【００２２】
図２は，図１のＩ−Ｉ線に沿う断面図である。
【００２３】
表示パネル７の裏面には，アクリル板12が設けられている。このアクリル板12の裏面（液晶表示パネル７の反対側の面）には，反射シート13が貼られている。アクリル板12の下には，バックライト14が配置されている。
【００２４】
バックライト14から出射した光BLが液晶表示パネル７の裏面を照射する。また，採光カバー８が開けられると，外光OLが採光窓Ｗから採り入れられる。採り入れられた外光OLは，アクリル板12内を通り，反射シート13に導かれる。反射シート13により外光が反射し，液晶表示パネル７の裏面を照射する。
【００２５】
ディジタル・スチル・カメラ１には，後述する回路が形成されている回路基板15も含まれている。撮像レンズ・ユニット16により被写体像を表す光像が回路基板15上に配置されている撮像素子の受光面上に結合し，被写体像を表す画像データが得られることとなる。
【００２６】
図３は，ディジタル・スチル・カメラ１の電気的構成を示すブロック図である。
【００２７】
この実施例によるディジタル・スチル・カメラ１は，採光スイッチ４がオフされると，屋内での使用と考えられ，バックライト14がオンする。バックライト14により，上述したように液晶表示パネル７の裏面が照射される。屋内であっても明るい画像が液晶表示パネル７に表示される。採光スイッチ４がオンされると，屋外での使用と考えられ，採光カバー８が開く。すると，上述したように採光窓から外光が導かれ，液晶表示パネル７の裏面を照射する。また，バックライト14は，オフとなる。バックライト14をオフしても，外光を利用して比較的明るい画像が液晶表示パネル７上に表示される。
【００２８】
さらにこの実施例によるディジタル・スチル・カメラ１においては，採光スイッチ４がオンとなると，被写体像を表す画像データが屋外の表示に適するように補正される。屋外では，画像を見づらいことがあるが，画像データの補正により比較的見やすい画像が液晶表示パネル７上に表示されることとなる。この処理について詳しくは，後述する。
【００２９】
採光スイッチ４のオンまたはオフを示す信号は，エンコーダ23，ＬＣＤドライバ25およびバックライト14に与えられる。また，採光スイッチ４がオフすることにより採光カバー８が開く。
【００３０】
モード設定ボタン５により撮影モードが設定されると，撮像素子21により被写体が撮影される。撮像素子21から被写体像を表す映像信号が出力し，信号処理回路22に入力する。
【００３１】
信号処理回路22は，アナログ／ディジタル変換回路，ガンマ補正回路ならびに輝度データおよび色差データ生成回路を含むもので，所定の信号処理が行われる。信号処理回路22から画像データが出力され，エンコーダ23およびＬＣＤ（Liquid Clistal Device ）ドライバ25に与えられる。
【００３２】
画像データは，ＬＣＤドライバ25から液晶表示パネル７に与えられることにより，液晶表示パネル７上に被写体像が表示される。
【００３３】
エンコーダ23に入力した画像データは，テレビジョン装置に表示可能なように所定のエンコーディング処理が行われる。エンコーダ23から出力した画像データが出力端子24を介してテレビジョン装置30に与えられる。テレビジョン装置30の表示画面上に被写体像が表示されることとなる。エンコーダ23はオンオフ制御可能である。採光スイッチ４がオンされるとエンコーダ23はオフされる。採光スイッチ４がオンされると屋外での使用と考えられる。屋外では，カメラ１にテレビジョン装置30を接続することが少ないと考えられるからである。
【００３４】
シャッタ・レリーズ・ボタン２が押されると，信号処理回路22から出力される画像データは，画像記録再生回路26に入力する。画像記録再生回路26において，データ圧縮処理その他の記録処理が行われる。画像記録再生回路26から出力された画像データがメモリ・カード27に与えられ，記録される。
【００３５】
この実施例によるディジタル・スチル・カメラ１は，再生機能も有している。
【００３６】
モード設定ボタン５により再生モードが設定されると，メモリ・カード27に記録されている画像データが読み出され，画像記録再生回路26に与えられる。画像記録再生回路26において，圧縮画像データの伸長処理その他の再生処理が行われ，信号処理回路22に入力する。
【００３７】
信号処理回路22から出力した画像データがＬＣＤドライバ25およびエンコーダ23に与えられる。その後は，被写体の撮影時と同様にして，液晶表示パネル７およびテレビジョン装置30の表示画面上に再生画像が表示される。
【００３８】
図４は，ＬＣＤドライバ25の電気的構成を示すブロック図である。
【００３９】
信号処理回路22から出力された画像データのうち，Ｒ−ＹおよびＢ−Ｙの色差データは，カラー・バランス回路31に入力し，輝度データＹは，輪郭補正回路36に入力する。
【００４０】
カラー・バランス回路31において，入力した色差データについて色相補正処理（色差データのレベルを補正する処理）および色飽和度補正（青または赤よりにする補正）が行われて出力される。カラー・バランス回路31から出力された色差データは，マトリクス回路32に入力する。
【００４１】
輪郭補正回路36において，入力した輝度データについて輪郭補正処理が行われて出力される。輪郭補正回路36から出力した輝度データもマトリクス回路32に入力する。
【００４２】
マトリクス回路32において，入力した色差データおよび輝度データからＲ，Ｇ，Ｂの三原色画像データが生成される。生成された画像データは，コントラスト調整回路33に入力し，コントラスト調整される。コントラスト調整回路33から出力された画像データは，ガンマ補正回路34に入力し，液晶表示パネル７のガンマ特性に応じたガンマ補正が行われる。ガンマ補正された画像データは，ブライト調整回路35に入力し，輝度レベルが調整される。具体的には，Ｇ（緑）のデータが輝度レベルと等価と見なされるので，Ｇデータのレベルが調整されることとなろう。ブライト調整回路35から出力される画像データが上述したように液晶表示パネル７に与えられる。
【００４３】
図５は，上述したように屋外と屋内との間で画像データの補正量を変更する様子を示している。
【００４４】
この実施例においては，ガンマ補正（ガンマ補正回路34），輝度レベル補正（ブライト回路35），輪郭補正（輪郭補正回路36），色相補正（カラー・バランス回路31）および色飽和度補正（カラー・バランス回路31）の補正量が変更される。これらの補正量は，屋内においては，いずれもあらかじめ定められた標準の補正量に設定されている。これに対して，屋外においては，ガンマ補正，輝度レベル補正および色飽和度補正はいずれも標準よりも増加するように補正される。また，輪郭補正は，標準よりも強調されるように補正され，色相は，青よりとなるように補正される（Ｒ−Ｙの色差データのレベルが増加させられる）。
【００４５】
屋外においては，このように補正量を変化させることにより，屋外であっても液晶表示パネル７に表示される画像が見やすくなる。
【００４６】
図６は，画像データの特性およびガンマ補正曲線を示している。
【００４７】
撮像素子21によって得られた画像データの特性は，図６（Ａ）に実線ａで示すように線形性を有している。テレビジョン装置のガンマ特性は，ガンマ＝２．２であり，撮像素子21によって得られた画像データそのものをテレビジョン装置に与えても適正な画像を表示することができない。このためにディジタル・スチル・カメラ１に内蔵されている信号処理回路22の中のガンマ補正回路において，ガンマ＝０．４５のガンマ補正曲線を用いてガンマ補正が行われる（図６（Ｂ））。ガンマ＝０．４５のガンマ補正曲線を用いてガンマ補正された画像データがテレビジョン装置に与えられることにより，図６（Ｃ）の実線ａに示すように線形性の画像データが得られることとなる。
【００４８】
この実施例によるディジタル・スチル・カメラ１においては，上述したようにＬＣＤドライバ25においてもガンマ補正が行われる（ガンマ補正回路34）。ＬＣＤドライバ25におけるガンマ補正において，図６（Ｄ）に示すように信号処理回路22においてガンマ補正された画像データ（破線ｂで示す）が実線ｃまたはｄで示すようにガンマ補正される。上述したように屋内のときよりも屋外のときの方がガンマ補正量が多くなるようにガンマ補正される。したがって，屋内のときのガンマ補正後の画像データは，実線ｃとなり，屋外のときのガンマ補正後の画像データは，実線ｄとなる。
【００４９】
図６（Ｅ）は，液晶表示パネル７のガンマ特性を示している。ＬＣＤドライバ25において，液晶パネル７に適したガンマ補正が行われることにより，画像データが液晶表示表示パネル７に与えられると，図６（Ｆ）の実線ｆで示すように線形特性をもつ画像データが得られる（屋内の場合）。屋外の場合には，実線ｇで示すように屋内の場合に比べ，下のレベルが強調される。したがって，屋外であっても見やすい画像が得られる。
【００５０】
図７は，ディジタル・スチル・カメラ１の処理手順を示すフローチャートである。この処理は，再生についての処理であるが，撮影時においても同様に処理されるのはいうまでもない。
【００５１】
ディジタル・スチル・カメラ１にメモリ・カードが装着され，メモリ・カードから画像データが読み出される。読み出された画像データは，上述したように画像記録再生装置26に入力し，データ伸長を含む再生処理が行われる（ステップ41）。画像データは，画像記録再生回路26から出力し，上述したように信号処理回路22およびＬＣＤドライバ25を介して液晶表示パネル７に入力する。液晶表示パネル７にメモリ・カードに記録されている画像データによって表される画像が表示される。
【００５２】
ユーザによって採光スイッチ４が操作される（ステップ42）。採光スイッチ４がオンとされると（ステップ43），上述したようにＬＣＤドライバ25における補正量が屋外用に設定される（ステップ44）。また，採光カバー８が開きエンコーダ23がオフとされる（ステップ45）。採光カバー８によって外光が採り入れられ，液晶表示パネル７の裏面を照射することとなる。設定された補正量で補正された画像データが液晶表示パネル７に入力する。液晶表示パネル７の表示画面上に表示された画像は，屋外表示用に補正されているので，屋外で見る場合であっても見やすいものとなる。
【００５３】
採光スイッチ４がオフとされると（ステップ43），屋内用に補正量が設定される（ステップ46）。設定された補正量に応じて画像データが補正される（ステップ46）。また，バックライト14がオンされ（ステップ47），バックライト14により液晶表示パネル７が裏面から照射される（ステップ47）。したがって，屋内であっても液晶表示パネル７に表示された画像は見やすいものとなる。
【図面の簡単な説明】
【図１】ディジタル・スチル・カメラを背面から見た斜視図である。
【図２】図１のＩ−Ｉ線に沿う断面図である。
【図３】ディジタル・スチル・カメラの電気的構成を示すブロック図である。
【図４】ＬＣＤドライバの電気的構成を示すブロック図である。
【図５】屋外と屋内での補正量の相違を示している。
【図６】（Ａ）から（Ｆ）は，ガンマ補正曲線と画像データのレベルを示している。
【図７】ディジタル・スチル・カメラの処理手順を示すフローチャートである。
【符号の説明】
１  ディジタル・スチル・カメラ
４  採光スイッチ
７  液晶表示パネル
８  採光カバー
12  アクリル板
13  反射シート
14  バックライト
21  撮像素子
22  信号処理回路
25  ＬＣＤドライバ
26  画像記録再生回路
27  メモリ・カード
31  カラー・バランス回路
34  ガンマ補正回路
35  ブライト回路
36  輪郭補正回路
Ｗ  採光窓
【図１】
0003841989.tif 000002
【図２】
0003841989.tif 000003
【図３】
0003841989.tif 000004
【図４】
0003841989.tif 000005
【図５】
0003841989.tif 000006
【図６】
0003841989.tif 000007
【図７】
0003841989.tif 000008